(57)【要約】ＡＮ（アクセスネットワーク）間のＨＲＰＤ（高レートパケットデータ）／１ＸＥＶ−ＤＯハンドオフに関連するハンドオフ遅延を減少させる必要に対処する、種々の実施形態について記載する。本開示の手法により、アクティブなパケットデータセッションを有するＡＴ（１０１）はデータセッションを休眠させる必要なく、ソースＡＮ（１２１，２２１）からターゲットＡＮ（１２２，２２２）へのハード・ハンドオフを実行することが可能となる。移動交換局（ＭＳＣ）による調整を伴う既知のハード・ハンドオフ手法とは異なり、本開示の手法では、ソースＡＮ、ターゲットＡＮ、ソースＰＣＦ及びターゲットＰＣＦ（１３１，１３２，２３１，２３２）の間などで、ＭＳＣを伴わないピアツーピアシグナリングが用いられる。例えば、ソース側のデータセッション情報は新規なＡ１３メッセージングを介してソースエンティティのターゲット側ピアに対し転送され、ソース機器とターゲット機器との間のシグナリングを減少させる。
2007520936.tif 000002
【特許請求の範囲】
【請求項１】
ソース高レートパケットデータ（ＨＲＰＤ）無線接続ネットワーク（ＲＡＮ）とターゲットＨＲＰＤ  ＲＡＮとの間でアクセス端末（ＡＴ）のハード・ハンドオフを実行するための方法であって、
ＡＴのアクティブなＨＲＰＤパケットデータセッションをソースＲＡＮがサポートするセッションサポート工程と、
セッションサポート工程の継続中、ＡＴはターゲットＲＡＮへハンドオフするとソースＲＡＮが判定するハンドオフ判定工程と、
セッションサポート工程の継続中、かつ、ハンドオフ判定工程後、ＡＴのハンドオフ要求をソースＲＡＮがターゲットＲＡＮへ送信するハンドオフ要求送信工程と、
同ＨＲＰＤパケットデータセッションの休眠モードへの遷移又は切断なしでＡＴがハンドオフすることを可能とするために、少なくとも部分的にはターゲットＲＡＮによりサポートされる新たなアクティブセットをＡＴに割り当てるトラフィックチャネル割当シグナリングをソースＲＡＮがＡＴへ送信するチャネル割当送信工程とからなる方法。
【請求項２】
ハンドオフ判定工程はターゲットＲＡＮにおける潜在的なハンドオフターゲットを示す経路更新メッセージをソースＲＡＮがＡＴから受信する工程を含む請求項１に記載の方法。
【請求項３】
ソース高レートパケットデータ（ＨＲＰＤ）無線接続ネットワーク（ＲＡＮ）とターゲットＨＲＰＤ  ＲＡＮとの間でアクセス端末（ＡＴ）のハード・ハンドオフを実行するための方法であって、
ソースＲＡＮにおけるアクティブなＨＲＰＤパケットデータセッションの休眠モードへの遷移又は切断なしでＡＴがハンドオフすることを可能とするために、同セッションを伴うＡＴのハンドオフ要求をターゲットＲＡＮがソースＲＡＮから受信するハンドオフ要求受信工程と、
ターゲットＲＡＮがＡＴからトラフィックチャネル完了シグナリングを受信するチャネル完了受信工程と、
トラフィックチャネル完了シグナリングに応答して、ターゲットＲＡＮがＡＴにＡＴのユニキャストアクセス端末識別子（ＵＡＴＩ）の割当を送信するＵＡＴＩ割当送信工程と、
ターゲットＲＡＮがアクティブなモードのＡＴの同ＨＲＰＤパケットデータセッションをサポートするセッションサポート工程とからなる方法。
【請求項４】
前記セッションのデータ接続を確立させる要求を前記セッションをサポートしているパケットデータサービングノード（ＰＤＳＮ）へターゲットＲＡＮが送信する工程と、
データ接続が受容されるとのインジケーションを前記セッションをサポートしているＰＤＳＮからターゲットＲＡＮが受信する工程とを含む請求項３に記載の方法。
【請求項５】
ソースパケット制御機能（ＰＣＦ）によりサポートされるソース高レートパケットデータ（ＨＲＰＤ）アクセスネットワーク（ＡＮ）と、ターゲットＰＣＦによりサポートされるターゲットＨＲＰＤ  ＡＮとの間でアクセス端末（ＡＴ）のハード・ハンドオフを実行するための方法であって、
ＡＴのアクティブなＨＲＰＤパケットデータセッションをソースＰＣＦがサポートするセッションサポート工程と、
同セッションの休眠モードへの遷移又は切断なしでＡＴがハンドオフすることを可能とする、ＡＴのターゲットＡＮへのハンドオフを示すハンドオフ必要シグナリングを、セッションサポート工程の継続中にソースＰＣＦがソースＡＮから受信するハンドオフ必要受信工程と、
ターゲットＡＮはターゲットＰＣＦによりサポートされていると判定した後、ソースＰＣＦがＡＴのハンドオフ要求をターゲットＰＣＦへ送信するハンドオフ要求送信工程と、
ソースＰＣＦとソースＡＮとの間の、同セッションをサポートしているデータ接続を切断する要求をソースＰＣＦがソースＡＮへ送信する切断要求送信工程と、
同セッションに対するリソースを解放する要求を同セッションをサポートしているパケットデータサービングノード（ＰＤＳＮ）にソースＰＣＦが送信する解放要求送信工程とからなる方法。
【請求項６】
ソースＰＣＦによりサポートされるソース高レートパケットデータ（ＨＲＰＤ）アクセスネットワーク（ＡＮ）と、ターゲットＰＣＦによりサポートされるターゲットＨＲＰＤ  ＡＮとの間でアクセス端末（ＡＴ）のハード・ハンドオフを実行するための方法であって、
アクティブなＨＲＰＤパケットデータセッションの休眠モードへの遷移又は切断なしでＡＴがハンドオフすることを可能とするために、同セッションを伴うＡＴのＰＣＦハンドオフ要求をターゲットＰＣＦがソースＰＣＦから受信するＰＣＦハンドオフ要求受信工程と、
受信したＡＴのＰＣＦハンドオフ要求に基づきＡＮハンドオフ要求をターゲットＰＣＦがターゲットＡＮへ送信するＡＮハンドオフ要求送信工程と、
ターゲットＡＮがＡＴのハンドオフを受容したとのインジケーションをターゲットＰＣＦがターゲットＡＮから受信する受容インジケーション受信工程と、
ＰＣＦハンドオフ要求がターゲットＰＣＦにより受容されたことを示すＰＣＦハンドオフ要求肯定応答をターゲットＰＣＦがソースＰＣＦへ送信するＰＣＦハンドオフ要求肯定応答送信工程と、
ターゲットＰＣＦがターゲットＡＮからＡＴのユニキャストアクセス端末識別子（ＵＡＴＩ）の要求を受信するＵＡＴＩ要求受信工程と、
ターゲットＰＣＦがターゲットＡＮにＡＴのＵＡＴＩ割当を送信するＵＡＴＩ割当送信工程と、
同セッションのデータ接続を確立させる要求を同セッションをサポートしているパケットデータサービングノード（ＰＤＳＮ）にターゲットＰＣＦが送信する接続確立要求送信工程と、
ターゲットＰＣＦがアクティブなモードのＡＴの同ＨＲＰＤパケットデータセッションをサポートするセッションサポート工程とからなる方法。
【請求項７】
アクセス端末（ＡＴ）のターゲット高レートパケットデータ（ＨＲＰＤ）無線接続ネットワーク（ＲＡＮ）へのハード・ハンドオフを実行するためのソースＨＲＰＤ  ＲＡＮであって、
アクセスネットワーク（ＡＮ）と、
ＡＮと通信可能に接続されているパケット制御機能（ＰＣＦ）と、
ＡＮ及びＰＣＦはＡＴのアクティブなＨＲＰＤパケットデータセッションをサポートするように適合されていることと、
ＡＮは同アクティブなセッションのサポートの継続中に、ＡＴがターゲットＲＡＮへハンドオフすることを判定するように適合されていることと、
ＡＮは、同アクティブなセッションのサポートの継続中、かつ、ＡＴがハンドオフすることの判定後に、ＡＴのハンドオフ要求をターゲットＲＡＮへ送信するように適合されていることと、
ＡＮは、同ＨＲＰＤパケットデータセッションの休眠モードへの遷移又は切断なしでＡＴがハンドオフすることを可能とするために、少なくとも部分的にはターゲットＲＡＮによりサポートされる新たなアクティブセットをＡＴに割り当てるトラフィックチャネル割当シグナリングをＡＴへ送信するように適合されていることとからなるソースＨＲＰＤ  ＲＡＮ。
【請求項８】
アクセス端末（ＡＴ）のソース高レートパケットデータ（ＨＲＰＤ）無線接続ネットワーク（ＲＡＮ）からのハード・ハンドオフを実行するためのターゲットＨＲＰＤ  ＲＡＮであって、
アクセスネットワーク（ＡＮ）と、
ＡＮと通信可能に接続されているパケット制御機能（ＰＣＦ）と、
ＡＮは、アクティブなＨＲＰＤパケットデータセッションの休眠モードへの遷移又は切断なしでＡＴがハンドオフすることを可能とするために、同セッションを伴うＡＴのハンドオフ要求をソースＲＡＮから受信するように適合されていることと、
ＡＮはＡＴからトラフィックチャネル完了シグナリングを受信するように適合されていることと、
ＡＮはトラフィックチャネル完了シグナリングに応答してＡＴのユニキャストアクセス端末識別子（ＵＡＴＩ）の割当をＡＴに送信するように適合されていることと、
ＡＮ及びＰＣＦはアクティブなモードのＡＴの同ＨＲＰＤパケットデータセッションをサポートするように適合されていることとからなるターゲットＨＲＰＤ  ＲＡＮ。
【請求項９】
ソースパケット制御機能（ＰＣＦ）によりサポートされるソース高レートパケットデータ（ＨＲＰＤ）アクセスネットワーク（ＡＮ）から、ターゲットＰＣＦによりサポートされるターゲットＨＲＰＤ  ＡＮへのアクセス端末（ＡＴ）のハード・ハンドオフを実行するためのソースＰＣＦであって、
ソースＡＮ、ターゲットＰＣＦ及びパケットデータサービングノード（ＰＤＳＮ）とシグナリングを送受信するように適合されているＰＣＦネットワークインタフェースと、
ＰＣＦネットワークインタフェースと通信可能に接続されている処理ユニットと、
処理ユニットは、
ＰＣＦネットワークインタフェースを介してＡＴのアクティブなＨＲＰＤパケットデータセッションをサポートするように、
同セッションの休眠モードへの遷移又は切断なしでＡＴがハンドオフすることを可能とする、ＡＴのターゲットＡＮへのハンドオフを示すハンドオフ必要シグナリングを、同アクティブなセッションのサポートの継続中にＰＣＦネットワークインタフェースを介してソースＡＮから受信するように、
ターゲットＡＮはターゲットＰＣＦによりサポートされているとの判定の後、ＡＴのハンドオフ要求をＰＣＦネットワークインタフェースを介してターゲットＰＣＦへ送信するように、及び、
ソースＰＣＦとソースＡＮとの間の、同セッションをサポートしているデータ接続を切断する要求をＰＣＦネットワークインタフェースを介してソースＡＮへ送信するように適合されていることとからなるソースＰＣＦ。
【請求項１０】
ソースパケット制御機能（ＰＣＦ）によりサポートされるソース高レートパケットデータ（ＨＲＰＤ）アクセスネットワーク（ＡＮ）から、ターゲットＰＣＦによりサポートされるターゲットＨＲＰＤ  ＡＮへのアクセス端末（ＡＴ）のハード・ハンドオフを実行するためのターゲットＰＣＦであって、
ターゲットＡＮ、ソースＰＣＦ及びパケットデータサービングノード（ＰＤＳＮ）とシグナリングを送受信するように適合されているＰＣＦネットワークインタフェースと、
ＰＣＦネットワークインタフェースと通信可能に接続されている処理ユニットと、
処理ユニットは、
アクティブなＨＲＰＤパケットデータセッションの休眠モードへの遷移又は切断なしでＡＴがハンドオフすることを可能とするために、同セッションを伴うＡＴのＰＣＦハンドオフ要求をＰＣＦネットワークインタフェースを介してソースＰＣＦから受信するように、
受信したＡＴのＰＣＦハンドオフ要求に基づきＡＮハンドオフ要求をＰＣＦネットワークインタフェースを介してターゲットＡＮへ送信するように、
ターゲットＡＮがＡＴのハンドオフを受容したとのインジケーションをＰＣＦネットワークインタフェースを介してターゲットＡＮから受信するように、
ＰＣＦハンドオフ要求がターゲットＰＣＦにより受容されたことを示すＰＣＦハンドオフ要求肯定応答をＰＣＦネットワークインタフェースを介してソースＰＣＦへ送信するように、
ＰＣＦネットワークインタフェースを介してターゲットＡＮからＡＴのユニキャストアクセス端末識別子（ＵＡＴＩ）の要求を受信するように、
ＰＣＦネットワークインタフェースを介してターゲットＡＮにＡＴのＵＡＴＩ割当を送信するように、
同セッションのデータ接続を確立させる要求を同セッションをサポートしているＰＤＳＮにＰＣＦネットワークインタフェースを介して送信するように、
ＰＣＦネットワークインタフェースを介してアクティブなモードのＡＴの同ＨＲＰＤパケットデータセッションをサポートするように適合されていることとからなるターゲットＰＣＦ。
【発明の詳細な説明】
【技術分野】
【０００１】
本発明は無線通信システムに関する。より詳細には、本発明はＡＮ（アクセスネットワーク）間のＨＲＰＤ（高レートパケットデータ）ハード・ハンドオフの実行に関する。
【背景技術】
【０００２】
既存の高レートパケットデータ（ＨＲＰＤ）／１ＸＥＶ−ＤＯ（ＤＯ）システムは、３ＧＰＰ２／ＴＩＡにより開発されたインタフェース標準規格に従い機能する。３ＧＰＰ２は第３世代パートナシップ・プロジェクト２（３ｒｄ  Ｇｅｎｅｒａｔｉｏｎ  Ｐａｒｔｎｅｒｓｈｉｐ  Ｐｒｏｊｅｃｔ  ２）を表す。３ＧＰＰ２には、そのウェブページ、ｗｗｗ．３ｇｐｐ２．ｃｏｍを介して連絡できる。ＴＩＡは米国電気通信工業会（Ｔｅｌｅｃｏｍｍｕｎｉｃａｔｉｏｎｓ  Ｉｎｄｕｓｔｒｙ  Ａｓｓｏｃｉａｔｉｏｎ）を表す。ＴＩＡには、そのウェブページ、ｗｗｗ．ｔｉａｏｎｌｉｎｅ．ｏｒｇを介して連絡できる。ＨＲＰＤシステムでは、通常、ＴＩＡ−８５６に従うエアインタフェースが採用されるが、そのネットワークアーキテクチャはＴＩＡ−８７８標準規格又はＴＩＡ−１８７８標準規格に従い構築される。現在、これらの標準規格では、ＨＲＰＤネットワークにおけるＡＮ間でのアクティブなパケットデータセッションのハード・ハンドオフは提供されていない。
【０００３】
そればかりか、これらの標準規格では、ＨＲＰＤパケットデータセッションは、ターゲットＨＲＰＤ  ＡＮへハンドオフされる前に、休眠（ｄｏｒｍａｎｔ）状態へ遷移されることが必要となる（休眠モード・ハンドオフ）。図５は、従来技術のシグナリング手法による、ソースＡＮからターゲットＡＮへハンドオフするアクティブなＨＲＰＤパケットデータセッションを有するアクセス端末（ＡＴ）を示す、代表的なシグナリングフロー図７００である。フロー図７００の示すように、ソースＡＴはターゲットＡＮとの接続を確立させる前にＡＴとの接続を断ち、パケットデータセッションを休眠させる。さらなるシグナリングの詳細はＴＩＡ−１８７８に見られる。例えば、第３．５．３節（Ａ８接続がアクティブであるソースＡＮにより開始されるＨＲＰＤセッション開放を示す）や、第３．７．１節などの休眠モード・ハンドオフの節（休眠モード・ハンドオフにおいてネットワークにより開始されるターゲット側の成功裏なシグナリング及びセッションの再アクティブ化を示す）を参照されたい。
【発明の開示】
【発明が解決しようとする課題】
【０００４】
休眠セッションが成功裏にターゲットＡＮへ転送されるとセッションは再アクティブ化されるが、従来技術のシグナリング手法ではハンドオフに有意な遅延が加えられる。そうした遅延は、ＶｏＩＰ（ボイス・オーバ・インターネット・プロトコル）など、厳密なＱｏＳ（サービス品質）要件を伴う用途には許容され得ないことがある。このため、この従来技術の手法によりデータサービスが破壊され、不充分なユーザ体験がもたらされることがある。したがって、現行のハンドオフ遅延を減少させることが可能な、ＡＮ間ＨＲＰＤハード・ハンドオフを実行するための方法及び装置が所望される。
【課題を解決するための手段】
【０００５】
ＡＮ（アクセスネットワーク）間のＨＲＰＤ（高レートパケットデータ）／１ＸＥＶ−ＤＯハンドオフに関連するハンドオフ遅延を減少させる必要に対処する、種々の実施形態について記載する。本開示の手法により、アクティブなパケットデータセッションを有するＡＴはデータセッションを休眠させる必要なく、ソースＡＮからターゲットＡＮへのハード・ハンドオフを実行することが可能となる。移動交換局（ＭＳＣ）による調整を伴う既知のハード・ハンドオフ手法（例えば、ＩＯＳ  Ａ．Ｓ００１３−Ｂ、第３．１７．５．１０節を参照）とは異なり、本開示の手法では、ソースＡＮ、ターゲットＡＮ、ソースＰＣＦ、及びターゲットＰＣＦの間などで、ＭＳＣを伴わないピアツーピアシグナリングが用いられる。例えば、ソース側のデータセッション情報は新規なＡ１３メッセージングを介してソースエンティティのターゲット側ピアに対し転送され、ソース機器とターゲット機器との間のシグナリングを減少させる。
【発明を実施するための最良の形態】
【０００６】
図１〜４を参照することにより、本開示の実施形態をさらに完全に理解することが可能である。図１は、本発明のＴＩＡ−８７８用の実施形態による無線通信システム１００のブロック図であり、図２は、本発明のＴＩＡ−１８７８用の実施形態による無線通信システム２００のブロック図である。通信システム１００，２００は周知の高レートパケットデータ（ＨＲＰＤ）／１ＸＥＶ−ＤＯ（ＤＯ）符号分割多重接続（ＣＤＭＡ）システムであり、本発明を実装するように適切に変更されている。
【０００７】
図１，２には、それぞれのシステム１００，２００が動作するために必要なネットワーク機器の全てが示されている訳ではなく、本発明の実施形態の説明に特に関連するシステム構成要素及び論理エンティティのみが示されていることを、当業者は認めるであろう。詳細には、システム１００のネットワーク機器は、無線接続ネットワーク（ＲＡＮ）１２５，１２６、アクセスネットワーク（ＡＮ）１２１，１２２、パケット制御機能（ＰＣＦ）１３１，１３２、パケットデータサービングノード（ＰＤＳＮ）１４１、及びインターネットプロトコル（ＩＰ）ネットワーク１５１などの構成要素を含む。同様に、システム２００のネットワーク機器は、アクセスネットワーク（ＡＮ）２２１，２２２、パケット制御機能（ＰＣＦ）２３１，２３２、パケットデータサービングノード（ＰＤＳＮ）１４１、及びインターネットプロトコル（ＩＰ）ネットワーク１５１などの構成要素を含む。一般に、ＲＡＮ、ＡＮ、ＰＣＦ、ＰＤＳＮ、及びＩＰネットワークは当業者に周知である。例えば、ＲＡＮがＡＮ及びＰＣＦを備えることは周知であり、ＰＣＦが処理ユニット及びＰＣＦネットワークインタフェースなどの構成要素を備えることは周知である。これに加えて、ＡＮがコントローラ及びアクセスネットワークトランシーバシステム（ＡＮＴＳ）などの構成要素を備えることは周知であるので、それらのうちのいずれも図１，２には詳細に示していない。
【０００８】
図２には、ＰＣＦ２３１，２３２を、処理ユニット２３５，２３６と、ＰＣＦネットワークインタフェース２３７，２３８とを備えるように示す。一般に、処理ユニット及びネットワークインタフェースなどの構成要素は周知である。例えば、処理ユニットが、以下に限定されるものではないが、マイクロプロセッサ、マイクロコントローラ、メモリデバイス及び論理回路のうちの１つ以上など、基本構成要素を備えることは周知である。通常、そうした構成要素は、高度設計言語又は記述、コンピュータ命令、メッセージング／シグナリングフロー図、呼フロー図、及び論理フロー図のうちの１つ以上を用いて表現されているアルゴリズム並びにプロトコルのうちの一方又は両方を実装するように適合されている。
【０００９】
したがって、あるアルゴリズム、論理フロー、メッセージング／シグナリングフロー、呼フロー、及びプロトコル仕様のうちの１つ以上が与えられると、当業者には、その与えられた論理を実行するＰＣＦを実装するために利用可能な多くの設計・開発手法が認識される。したがって、ＰＣＦ２３１，２３２は、本明細書の記載に従い、本発明の複数の実施形態を実装するように適合されている既知のＰＣＦを表す。同様に、ＲＡＮ１２５，１２６は、本明細書の記載に従い、本発明の複数の実施形態を実装するように適合されている既知のＲＡＮを表す。
【００１０】
ＲＡＮ１２５，１２６及びＡＮ２２１，２２２は、リモートユニット１０１との通信のためにエアインタフェース１１１，１１２を用いる。エアインタフェース１１１，１１２は、ＴＩＡ−８５６によるＨＲＰＤ／１ｘＥＶ−ＤＯエアインタフェースである。本出願の全体を通じて称するように、ＨＲＰＤ／１ｘＥＶ−ＤＯの用語ではリモートユニットをアクセス端末（ＡＴ）と称する。通常、リモートユニット／ＡＴのプラットフォームが移動体電話機、コンピュータ、パーソナル・デジタル・アシスタント、ゲームデバイスなど、デバイスを備えることは当業者には周知である。詳細には、ＡＴ１０１は、いずれも当業者には周知である、プロセッサ及びトランシーバなどの構成要素デバイス（図示せず）を備える。
【００１１】
図１を参照して、ＴＩＡ−８７８用の実施形態の動作の関連する態様を示す。ソースＡＮ１２１及びソースＰＣＦ１３１を備えるソースＲＡＮ１２５は、ＡＴ１０１に対する既にアクティブなＨＲＰＤパケットデータセッションをサポートしている。例示の目的で、ＡＴ１０１は強力な隣接セルを発見していると仮定する。したがって、ＡＮ１２１は、潜在的なハンドオフターゲットを示す経路更新メッセージをＡＴ１０１から受信する。やはり例示の目的で、この潜在的なハンドオフターゲットがＲＡＮ１２５内ではなく、ＲＡＮ１２６内にあると仮定する。このため、アクティブなセッションのサポートの継続中に、ＡＮ１２１はＡＴ１０１がＲＡＮ１２６へハンドオフするべきと判定し、ＡＴ１０１のためのハンドオフ要求をターゲットＲＡＮ１２６へ送信する。このハンドオフ要求が送信されると、セッションを休眠モードへ遷移させることなく、即ち、セッションを切断（ｄｒｏｐ）することなく、ＡＴ１０１にハンドオフさせることが可能となる（セッションが切断されるとパケットデータ呼の再確立が必要となる）。一部の実施形態では、このハンドオフ要求には次の情報が含まれる：ＡＴ１０１の移動体ノード識別子、ハンドオフターゲットセクタ識別子、ターゲットチャネル情報、サービングＰＤＳＮインターネットプロトコル（ＩＰ）アドレス（即ち、ＰＤＳＮ１４１のＩＰアドレス）、ソースアクセスネットワーク識別子、ＡＴ１０１のソースＡＮ  ＵＡＴＩ、ＨＲＰＤパケットデータセッションのセッション状態情報レコード（ＡＴ１０１の開始シグナリングを受信する際にターゲットＲＡＮ１２６により用いられる、ＡＴ１０１のソースＲＡＮ  ＵＡＴＩを含んでよい）、セキュリティ・レイヤ・パケット、アンカーＰＤＳＮアドレス、アンカーＰ−Ｐアドレス、及び、エアインタフェースバージョンインジケータ。他の実施形態では、ハンドオフ要求の際、この情報のサブセットが伝達されてもよく、この情報が伝達されなくてもよい。
【００１２】
ＲＡＮ１２６のＡＮ１２２はＡＴ１０１のハンドオフ要求を受信し、ターゲットＲＡＮ１２６によりハンドオフ要求が受容されたことを示すハンドオフ要求肯定応答により応答する（例示の目的のため、受容されると仮定するが、当然のことながら、拒否される場合もある）。一部の実施形態では、ハンドオフ要求肯定応答には、ＡＴ１０１の移動体ノード識別子、ハンドオフターゲットセクタ識別子、及びＡＴ１０１に対し送信されるトラフィックチャネル割当メッセージのうちの少なくとも一部など、ハンドオフ関連情報も含まれる。他の実施形態では、ハンドオフ要求肯定応答の際、この情報のサブセットが伝達されてもよく、この情報が伝達されなくてもよい。
【００１３】
ＲＡＮ１２５のＡＮ１２１は、ターゲットＲＡＮによりハンドオフ要求が受容されたことを示すハンドオフ要求肯定応答を受信する。ＡＴ１０１はターゲットＲＡＮ１２６へハンドオフする予定であるため、ＲＡＮ１２５のＰＣＦ１３１がＰＤＳＮ１４１に、そのセッションにおいてソースＲＡＮ１２５へのデータ伝送を中断するように要求する場合がある。また、ハンドオフ要求肯定応答の受信後、ＡＮ１２１は、少なくとも部分的にはターゲットＲＡＮ１２６によりサポートされる新たなアクティブセットを割り当てるトラフィックチャネル割当シグナリングを、ＡＴ１０１へ送信する。このため、ＡＴ１０１は、ＨＲＰＤパケットデータセッションの休眠モードへの遷移なしで、即ち、切断なしで、ハンドオフすることが可能である。さらに、ＡＴ１０１へ送信されるトラフィックチャネル割当シグナリングには、ハンドオフ要求肯定応答その他のシグナリング手段を介してＡＮ１２１へ送信された部分が含まれることも可能である。
【００１４】
トラフィックチャネル割当シグナリングに応答して、ターゲットＡＮ１２２はＡＴ１０１からトラフィックチャネル完了シグナリングを受信する。基本的には、トラフィックチャネル完了シグナリングは、ＡＴ１０１により受信されるトラフィックチャネル割当シグナリングを肯定応答するように働く。また、ターゲットＡＮ１２２は、ソースＲＡＮ１２５にて用いられた、ＡＴ１０１のユニキャストアクセス端末識別子（ＵＡＴＩ）を用いて、トラフィックチャネル完了シグナリングを復号する。トラフィックチャネル完了シグナリングに応答して、ターゲットＡＮ１２２はＡＴ１０１に新たなＵＡＴＩ割当を送信し、肯定応答にてＵＡＴＩ完了シグナリングを受信する。ＡＴ１０１とのシグナリングに加えて、ＲＡＮ１２６（即ち、ＰＣＦ１３２）は、ＡＴ１０１のセッションのためのデータ接続を確立させるための要求をＰＤＳＮ１４１に送信し、データ接続が受容されるとのインジケーション（ｉｎｄｉｃａｔｉｏｎ）を受信する。したがって、ＡＮ１２２及びＰＣＦ１３２は、セッションを休眠モードにてハンドオフすること、即ち、切断することを必要とせずに、ＡＴ１０１のハンドオフ後、ＡＴ１０１のアクティブなＨＲＰＤパケットデータセッションをサポートすることが可能である。
【００１５】
また、ＡＮ１２２はＲＡＮ１２５へ、ＡＴ１０１がターゲットＲＡＮ１２６へ成功裏にハンドオフしたことを示すハンドオフ状態シグナリングを送信する。このハンドオフ状態シグナリングの受信に応答して、ＲＡＮ１２５はＰＤＳＮ１４１へインジケーションを送信し、ソースＲＡＮ１２５を介してＡＴ１０１のデータセッションをサポートしていたリソースを解放する。
【００１６】
図２を参照して、ＴＩＡ−１８７８用の実施形態の動作の関連する態様を示す。ソースＡＮ２２１及びソースＰＣＦ２３１（即ち、ＰＣＦネットワークインタフェース２３７を介するＰＣＦ処理ユニット２３５）は、ＡＴ１０１に対する既にアクティブなＨＲＰＤパケットデータセッションをサポートしている。例示の目的で、ＡＴ１０１は強力な隣接セルを発見していると仮定する。したがって、ＡＮ２２１は、潜在的なハンドオフターゲットを示す経路更新メッセージをＡＴ１０１から受信する。やはり例示の目的で、この潜在的なハンドオフターゲットがＡＮ２２１内ではなく、ＡＮ２２２内にあると仮定する。このため、アクティブなセッションのサポートの継続中に、ＡＮ２２１はＡＴ１０１がＡＮ２２２へハンドオフするべきと判定し、ハンドオフ必要シグナリングをＰＣＦ２３１へ送信する。
【００１７】
アクティブなセッションのサポートの継続中、ＰＣＦ処理ユニット２３５はＰＣＦネットワークインタフェース２３７を介してハンドオフ必要シグナリングを受信する。このシグナリングはＡＴ１０１のターゲットＡＮ２２２へのハンドオフを示しており、それによって、データセッションを休眠モードとせずに、即ち、切断せずに、ＡＴ１０１がハンドオフすることが可能である。一部の実施形態では、このハンドオフ必要シグナリングには次の情報が含まれる：ＡＴ識別子、ハンドオフターゲットセクタ識別子、シグナリング相関識別子、ターゲットチャネル情報、及び、エアインタフェースバージョンインジケータ。他の実施形態では、ハンドオフ必要シグナリングの際、この情報のサブセットが伝達されてもよい。
【００１８】
ＰＣＦ処理ユニット２３５は、ターゲットＡＮ２２２がターゲットＰＣＦ２３２によりサポートされていると判定した後、ＰＣＦネットワークインタフェース２３７を介してＰＣＦ２３２へ、ＡＴ１０１のハンドオフ要求を送信する。このハンドオフ要求が送信されると、セッションを休眠モードへ遷移させることなく、即ち、セッションを切断することなく、ＡＴ１０１にハンドオフさせることが可能となる。一部の実施形態では、このハンドオフ要求には次の情報が含まれる：ＡＴ１０１の移動体ノード識別子、ハンドオフターゲットセクタ識別子、ターゲットチャネル情報、サービングＰＤＳＮインターネットプロトコル（ＩＰ）アドレス（即ち、ＰＤＳＮ１４１のＩＰアドレス）、ソースアクセスネットワーク識別子、ＡＴ１０１のソースＡＮ  ＵＡＴＩ、ＨＲＰＤパケットデータセッションのセッション状態情報レコード（ＡＴ１０１を捕捉する際にターゲットＡＮ２２２により用いられる、ＡＴ１０１のソースＡＮ  ＵＡＴＩを含んでよい）、セキュリティ・レイヤ・パケット、アンカーＰＤＳＮアドレス、アンカーＰ−Ｐアドレス、及び、エアインタフェースバージョンインジケータ。他の実施形態では、ハンドオフ要求の際、この情報のサブセットが伝達されてもよく、この情報が伝達されなくてもよい。
【００１９】
ＰＣＦ処理ユニット２３６はＰＣＦネットワークインタフェース２３８を介してハンドオフ要求（即ち、「ＰＣＦハンドオフ要求」）を受信し、このＰＣＦハンドオフ要求に基づき、ＡＴ１０１のＡＮハンドオフ要求をＡＮ２２２へ送信する。一部の実施形態では、このＡＮハンドオフ要求には次の情報が含まれる：ＡＴ識別子、シグナリング相関識別子、ハンドオフターゲットセクタ識別子、ＡＴ１０１のソースＡＮ  ＵＡＴＩ、ＨＲＰＤパケットデータセッションのセッション状態情報レコード（ＡＴ１０１を捕捉する際にターゲットＡＮ２２２により用いられる、ＡＴ１０１のソースＡＮ  ＵＡＴＩを含んでよい）、Ａ１４−固有インジケータ、ターゲットチャネル情報、及び、エアインタフェースバージョンインジケータ。他の実施形態では、代わりに、この情報のサブセットが伝達される。応答して、ＰＣＦ処理ユニット２３６はＰＣＦネットワークインタフェース２３８を介してターゲットＡＮ２２２から、ターゲットＡＮがＡＴ１０１のハンドオフを受容したとのインジケーションを受信する。一部の実施形態では、ターゲットＡＮがハンドオフを受容したとのこのインジケーションには、シグナリング相関識別子と、ＡＴ１０１に対し送信されるエアインタフェーストラフィックチャネル割当メッセージのうちの少なくとも一部とが含まれる。しかしながら、他の実施形態では、こうしたハンドオフ受容インジケーションの際、この情報のサブセットが伝達されてもよく、この情報が伝達されなくてもよい。
【００２０】
応答して、ＰＣＦ処理ユニット２３６はＰＣＦネットワークインタフェース２３８を介してソースＰＣＦ２３１へ、先のＰＣＦハンドオフ要求がＰＣＦ２３２により受容されたことを示す、ＰＣＦハンドオフ要求肯定応答を送信する。一部の実施形態では、このＰＣＦハンドオフ要求肯定応答には、ＡＴ１０１の移動体ノード識別子、ハンドオフターゲットセクタ識別子、及び、ＡＴ１０１に対し送信されるエアインタフェーストラフィックチャネル割当メッセージのうちの少なくとも一部（例えば、ハンドオフ受容インジケーションにて受信されるような）が含まれる。しかしながら、他の実施形態では、代わりにこの情報のサブセット（情報がない場合も含む）が伝達されてもよい。
【００２１】
ＰＣＦハンドオフ要求肯定応答の受信に応答して、ＰＣＦ処理ユニット２３５はＰＣＦネットワークインタフェース２３７を介してソースＡＮ２２１へ、ＡＴ１０１のターゲットＡＮ２２２へのハンドオフがＰＣＦ２３２により受容されたことを示す、ハンドオフ必要肯定応答を送信する。一部の実施形態では、このＰＣＦハンドオフ要求肯定応答には、ＡＴ識別子、シグナリング相関識別子、及び、ＡＴ１０１に対し送信されるトラフィックチャネル割当メッセージのうちの少なくとも一部（例えば、ＰＣＦハンドオフ要求肯定応答にて受信されるような）が含まれる。しかしながら、他の実施形態では、代わりにこの情報のサブセット（情報がない場合も含む）が伝達されてよい。
【００２２】
ＡＴ１０１のターゲットＡＮ２２２へのハンドオフがＰＣＦ２３２により受容されたとのインジケーションを受信すると、ソースＡＮ２２１はＰＣＦ２３１に、そのデータセッションにおいて自身へのデータ伝送を中断するように要求する。この要求を受信すると、フロー制御がサポートされている場合、ＰＣＦ処理ユニット２３５はＰＣＦネットワークインタフェース２３７を介してＰＤＳＮ１４１に、そのデータセッションにおいて自身へのデータ伝送を中断するように要求する。
【００２３】
ＡＴ１０１がターゲットＡＮ２２２との通信を開始した後、ＰＣＦ処理ユニット２３６はＰＣＦネットワークインタフェース２３８を介してターゲットＡＮ２２２から、ＡＴ１０１のＵＡＴＩの要求を受信する。この要求に応答して、ＰＣＦ処理ユニット２３６はＰＣＦネットワークインタフェース２３８を介してターゲットＡＮ２２２へ、ＡＴ１０１のＵＡＴＩ割当を送信する。
【００２４】
ソースＰＣＦ２３１からの開始ハンドオフ要求の受信後のある点にて、ＰＣＦ処理ユニット２３６はＰＣＦネットワークインタフェース２３８を介してＰＤＳＮ１４１へ、ＡＴ１０１のセッションのデータ接続を確立させるための要求を送信し、データ接続が受容されるとのインジケーションを受信する。したがって、ＡＮ２２２及びＰＣＦ２３２は、ＡＴ１０１のハンドオフ後、セッションを休眠モードにてハンドオフさせること、即ち、切断することを必要とせずに、ＡＴ１０１に対するアクティブなＨＲＰＤパケットデータセッションをサポートすることが可能である。
【００２５】
また、ターゲットＰＣＦ２３２はソースＰＣＦ２３１へ、ＡＴ１０１がターゲットＡＮ２２２へ成功裏にハンドオフしたことを示すハンドオフ状態シグナリングを送信する。このハンドオフ状態シグナリングの受信に応答して、ＰＣＦ処理ユニット２３５はＰＣＦネットワークインタフェース２３７を介してソースＡＮ２２１へ、ソースＰＣＦ２３１とソースＡＮ２２１との間の、セッションをサポートしているデータ接続を切断する要求を送信するとともに、ＰＤＳＮ１４１へ、そのセッションにおけるＰＣＦ２３１とのＡ１０接続を解放するための要求を送信する。
【００２６】
このように、ＡＮ間ＨＲＰＤ／１ＸＥＶ−ＤＯハード・ハンドオフに関連するハンドオフ遅延を減少させるための必要に対処する幾つかの実施形態を示してきた。上述にて開示し、以下でさらに詳細に示す手法により、アクティブなパケットデータセッションを有するＡＴが、データセッションを休眠させる必要なしに、即ち、切断する必要なしにソースＡＮからターゲットＡＮへのハード・ハンドオフを実行することが可能となる。
【００２７】
図３Ａ，３Ｂは、本発明のＴＩＡ−８７８用の実施形態による、ソースＡＮからターゲットＡＮへハンドオフするアクティブなＨＲＰＤパケットデータセッションを有するアクセス端末（ＡＴ）を示す代表的なシグナリングフロー図である。以下は、図３Ａ，３Ｂの最右列に標識した代表的なシグナリングフローの時間線の詳細な説明である（メッセージ定義は、以下、本明細書の発明の詳細な説明の最後の方に見出される）。
【００２８】
ａ．アクティブなパケットデータセッションが、ＡＴ、ソースＡＮ、ソースＰＣＦ及びＰＤＳＮによりサポートされている（トラフィックチャネル及び隣接リストはＡＮによりＡＴに対し割り当てられ、Ａ８／Ａ１０ベアラ接続が確立されており、ＡＴとＰＤＳＮとの間にＰＰＰ接続が存在する）。
ｂ．ＡＴはソースＡＮに、ソースＡＮのドメイン下にない強力な隣接を示す経路更新メッセージを送信する。
ｃ．ターゲットセルが別のＡＮのドメイン内にあると判定すると、ソースＡＮは、そのターゲットセルをサポートするターゲットＡＮに対し、Ａ１３−ハンドオフ要求を送信する。ソースＡＮは、ＡＴのセッション情報、ターゲットセル情報、ソースＰＣＦのＡＮＩＤ、メッセージにおいて呼を現在サポートしているＰＤＳＮのアドレスを有する。高速ハンドオフがサポートされている場合、ソースＡＮは、アンカーＰＤＳＮアドレス及びアンカーＰ−Ｐアドレスを有する。また、このメッセージには、ソースにて用いられるエアインタフェースのバージョンも含まれているので、それにしたがってターゲットはエアインタフェースＴＣＡメッセージをフォーマットする。ソースＡＮはタイマＴＡ１３−ｈｏｒｅｑを開始させる。
ｄ．ターゲットＡＮは、Ａ９−セットアップ−Ａ８メッセージをターゲットＰＣＦに送信して呼に対するＡ８接続を確立させるとともに、タイマＴＡ８−ｓｅｔｕｐを開始させる。ＰＤＳＮ間ＨＨＯが必要な場合、ターゲットＰＣＦは高速ハンドオフ手続を開始してもよい。
ｅ．ターゲットＰＣＦは、Ａ９−接続−Ａ８メッセージをターゲットＡＮに送信することにより応答する。ターゲットＡＮはタイマＴＡ８−ｓｅｔｕｐを停止させる。
ｆ．ターゲットＡＮはソースＡＮに、ターゲットネットワークからのハンドオフ要求を肯定応答するＡ１３−ハンドオフ要求肯定応答を送信する。このメッセージには、ソースネットワークにて用いられるエアインタフェースバージョンに従ってフォーマットされる、エアインタフェーストラフィックチャネル割当メッセージが含まれる。メッセージを受信すると、ソースＡＮはタイマＴＡ１３−ｈｏｒｅｑを停止させる。
ｇ．ソースＡＮはソースＰＣＦにＡ９−Ａｌ−切断メッセージを送信して、ソースＰＣＦにＡＮへのパケットデータの伝送を停止するように要求するとともに、タイマＴａｌｄ９を開始させる。その接続のＰＤＳＮによりフロー制御がサポートされている場合、ソースＰＣＦは同列のフロー制御Ｘｏｆｆ信号をＰＤＳＮに送信し、ソースＰＣＦへのデータ伝送を中止させる。
ｈ．ソースＰＣＦはソースＡＮに応答して、ソースＡＮにＡ９−Ａｌ切断肯定応答メッセージにより応答する。ソースＡＮはタイマＴＡｌｄ９を停止させる。
ｉ．ソースＡＮは、ターゲットセルを含む新たなアクティブセットを含む、ＡＴへのトラフィックチャネル割当メッセージを送信する。このメッセージはステップｆの後の任意の時間に送信されてよい。
ｊ．ＡＴはトラフィックチャネル完了メッセージによりターゲットＡＮに応答する。このステップはステップｆの後の任意の時間に送信されてよい。
ｋ．このＡＮはＵＡＴＩ割当メッセージを送信し、ＵＡＴＩをＡＴに割り当てる。
ｌ．ＡＴはＵＡＴＩ完了メッセージを送信し、このＡＮにＡＴがＵＡＴＩ割当メッセージを受信したと通知する。必要な場合、このステップの後に、ターゲットＡＮはセッションネゴシエーション手続及びターミネーション認証手続のうちの１つ以上を開始してよい。失敗発生の場合、Ａ１３−ハンドオフ状態メッセージが送信され、失敗を示してよい。
ｍ．ターゲットＢＳはターゲットＰＣＦにＡ９−ＡＬ接続メッセージを送信し、タイマＴａｌｃ９を開始させる。
ｎ．ステップｄにて高速ハンドオフ手続が開始されない場合、このステップが発生する。このＰＣＦはＡ１３−ハンドオフ要求にてソースＡＮにより送信されるＰＤＳＮを選択する。ターゲットＰＣＦは、ソースＰＤＳＮに接続不可能な場合、ＰＤＳＮ選択アルゴリズムを用いて代替のＰＤＳＮを選択する。ターゲットＰＣＦはＰＤＳＮに、Ａ１１登録要求メッセージを送信する。このメッセージには、ＣＶＳＥ内のＭＥＩインジケーション、０でない寿命値、アカウンティングデータ（Ａ１０接続セットアップ及び、おそらくは、アクティブ開始エアリンクレコード）、並びに、ＮＶＳＥ内のソースＰＣＦのＡＮＩＤ（ＰＡＮＩＤ）及びターゲットＰＣＦのＡＮＩＤ（ＣＡＮＩＤ）が含まれる。ターゲットＰＣＦはタイマＴｒｅｇｒｅｑを開始させる。
ｏ．ＰＤＳＮはＡ１１登録要求を有効化（ｖａｌｉｄａｔｅ）し、受容インジケーションと、構成されるＴｒｐ値にセットされた寿命フィールドとを有するＡ１１登録応答メッセージを返すことにより、接続を受容する。ターゲットＰＣＦはタイマＴｒｅｇｒｅｑを停止させる。
ｐ．ターゲットＰＣＦはＡ９−ＡＬ接続メッセージに応答してＡ９−ＡＬ接続肯定応答メッセージを送信し、タイマＴａｌｃ９を停止させる。
ｑ．ターゲットＰＣＦがソースＰＤＳＮ、即ち、ハンドオフの前に呼をサポートしていたＰＤＳＮに接続不可能であった場合、ＰＰＰ接続が確立され、ＭＩＰ登録手続が（サポートされている場合）実行される。
【００２９】
ここで、ＨＲＰＤパケットデータセッションはターゲットセルにてアクティブとなり、ＡＴとＰＤＳＮとの間でパケットデータが交換される。
ｒ．ターゲットＡＮはソースＡＮに、コーズ（ｃａｕｓｅ）値を有するＡ１３−ハンドオフ状態メッセージを送信し、ターゲットネットワークへのハード・ハンドオフの成功裏な完了を示す。
ｓ．ＡＮはＰＣＦにコーズ値が「ハード・ハンドオフ完了」にセットされたＡ９−解放−Ａ８メッセージを送信し、関連付けられている専用リソースを解放するようＰＣＦに要求する。ＡＮはタイマＴｒｅｌ９を開始させる。ソースＰＣＦはタイマＴｄｉｓｃｏｎ９を停止させる。
ｔ．ソースＰＣＦはＰＤＳＮに、０にセットされた寿命と、アカウンティングレコードとを有するＡ１１登録要求メッセージを送信する。ＰＣＦはタイマＴｒｅｇｒｅｑを開始させる。
ｕ．ＰＤＳＮはソースＰＣＦにＡ１１登録応答メッセージを送信する。ソースＰＣＦはＡＴに対するソースＡ１０接続を閉じ、タイマＴｒｅｇｒｅｑを停止させる。
ｖ．ソースＰＣＦはＡ９−解放−Ａ８完了メッセージによりＡ９−解放−Ａ８メッセージに応答する。ソースＡＮはタイマＴｒｅｌ９を停止させる。
【００３０】
図４Ａ，４Ｂは、本発明のＴＩＡ−１８７８用の実施形態による、ソースＡＮからターゲットＡＮへハンドオフするアクティブなＨＲＰＤパケットデータセッションを有するアクセス端末（ＡＴ）を示す代表的なシグナリングフロー図である。以下は、図４Ａ，４Ｂの最右列に標識した代表的なシグナリングフローの時間線の詳細な説明である。
【００３１】
ａ．アクティブなパケットデータセッションが、ＡＴ、ソースＡＮ、ソースＰＣＦ及びＰＤＳＮによりサポートされている（トラフィックチャネル及び隣接リストはＡＮによりＡＴに対し割り当てられ、Ａ８／Ａ１０ベアラ接続が確立されており、ＡＴとＰＤＳＮとの間にＰＰＰ接続が存在する）。
ｂ．ＡＴはソースＡＮに、ソースＡＮのドメイン下にない強力な隣接を示す経路更新メッセージを送信する。
ｃ．ソースＡＮはターゲットセルパイロット情報（パイロット）を有するソースＰＣＦに、Ａ１４−ハンドオフ必要メッセージを送信する。ソースＡＮはタイマＴＡ１４−ｈｏｒｅｑを開始させる。
ｄ．ターゲットセルが別のＰＣＦのドメイン内にあると判定すると（ソースＰＣＦはＡＮマッピング情報に対し隣接セルを維持している）、ソースＰＣＦは、ターゲットＡＮをサポートしているターゲットＰＣＦに対し、Ａ−１３ハンドオフ要求を送信する。ソースＰＣＦは、ＡＴのセッション情報、自身のＡＮＩＤ、ターゲットセル情報、メッセージにおいて呼を現在サポートしているＰＤＳＮのアドレスを有する。高速ハンドオフがサポートされている場合、ソースＰＣＦは、アンカーＰＤＳＮアドレス及びアンカーＰ−Ｐアドレスを有する。また、このメッセージには、ソースにて用いられるエアインタフェースのバージョンも含まれているので、それにしたがってターゲットはエアインタフェースＴＣＡメッセージをフォーマットすることが可能である。ソースＰＣＦはタイマＴＡ１３−ｈｏｒｅｑを開始させる。
ｅ．ターゲットＰＣＦはターゲットＡＮにＡ１４−ハンドオフ要求メッセージを送信し、ターゲットセルへのＡＴのハンドオフを要求する。ターゲットＰＣＦはタイマＴＡ１４−ｈｏｒｅｑを開始させる。
ｆ．ターゲットＡＮにてＡ１４−ハンドオフ要求メッセージを受信すると、ハンドオフをサポート可能な場合、ターゲットＡＮは、Ａ９−セットアップ−Ａ８メッセージをターゲットＰＣＦに送信して呼に対するＡ８接続を確立させるとともに、ＴＡ８−ｓｅｔｕｐタイマを開始させる。ＰＤＳＮ間ＨＨＯが必要な場合、ターゲットＰＣＦは高速ハンドオフ手続を開始してもよい。
ｇ．ターゲットＰＣＦは、Ａ９−接続−Ａ８メッセージをターゲットＡＮに送信することにより応答する。ターゲットＡＮはタイマＴＡ８−ｓｅｔｕｐを停止させる。
ｈ．ターゲットＡＮはターゲットＰＣＦにＡ１４−ハンドオフ要求肯定応答メッセージを送信し、ハンドオフを受容することを示す。このメッセージには、ソースネットワークにて用いられるエアインタフェースバージョンに従ってフォーマットされる、エアインタフェーストラフィックチャネル割当メッセージが含まれる。ターゲットＰＣＦはタイマＴＡ１４−ｈｏｒｅｑを停止させる。
ｉ．ターゲットＰＣＦはソースＰＣＦにＡ１３−ハンドオフ要求肯定応答を送信し、ソースネットワークからのハンドオフ要求を肯定応答する。このメッセージには、ソースネットワークにて用いられるエアインタフェースバージョンに従ってフォーマットされる、エアインタフェーストラフィックチャネル割当メッセージが含まれる。メッセージを受信すると、ソースＰＣＦはタイマＴＡ１３−ｈｏｒｅｑを停止させる。
ｊ．ソースＰＣＦはソースＡＮに、ハンドオフ要求が受容されたことを示すコーズ値と、エアインタフェーストラフィックチャネル割当メッセージとを含む、Ａ１４−ハンドオフ必要肯定応答メッセージを送信する。ソースＡＮはタイマＴＡ１４−ｈｏｒｅｑを停止させる。
ｋ．ソースＡＮはソースＰＣＦにＡ９−Ａｌ−切断メッセージを送信して、ソースＰＣＦにＡＮへのパケットデータの伝送を停止するように要求するとともに、タイマＴＡｌｄ９を開始させる。その接続のＰＤＳＮによりフロー制御がサポートされている場合、ソースＰＣＦは同列のフロー制御Ｘｏｆｆ信号をＰＤＳＮに送信し、ソースＰＣＦへのデータ伝送を中止させる。
ｌ．ソースＰＣＦはＡ９−Ａｌ切断肯定応答メッセージによりソースＡＮに応答する。ソースＡＮはタイマＴＡｌｄ９を停止させる。
ｍ．ソースＡＮは、ターゲットセルを含む新たなアクティブセットを含む、ＡＴへのトラフィックチャネル割当メッセージを送信する。このステップはステップｊの後の任意の時間に発生してよい。
ｎ．ＡＴはトラフィックチャネル完了メッセージによりターゲットＡＮに応答する。
ｏ．ターゲットＡＮはターゲットＰＣＦにＡ１４−ＵＡＴＩ要求メッセージを送信し、ＡＴにＵＡＴＩを割り当てることを要求する。
ｐ．ターゲットＰＣＦは自身のＵＡＴＩプールからＵＡＴＩをＡＴに割り当て、この割り当てたＵＡＴＩを含むＡ１４−ＵＡＴＩ割当メッセージを送信し、タイマＴ１４−ＵＡＴＩ−Ａｓｓｉｇｎを開始させる。
ｑ．ＡＮはＵＡＴＩ割当メッセージを送信し、ＡＴにＵＡＴＩを割り当てる。
ｒ．ＡＴはＵＡＴＩ完了メッセージを送信し、ＡＴがＵＡＴＩ割当メッセージを受信したとこのＡＮに通知する。必要な場合、このステップの後に、ターゲットＡＮ／ＰＣＦはセッションネゴシエーション手続及びターミネーション認証手続のうちの１つ以上を開始してよい。失敗発生の場合、失敗の種類を示すＡ１３−ハンドオフ状態メッセージが送信されてよい。
ｓ．ＡＴからＵＡＴＩ完了メッセージを受信すると、ＡＮはＰＣＦにＡ１４−ＵＡＴＩ完了メッセージを送信し、ＵＡＴＩ割当の成功裏な完了をＰＣＦに通知する。ＡＮはタイマＴ１４−ＵＡＴＩ−Ｃｏｍｐを開始させる。Ａ１４−ＵＡＴＩ完了メッセージを受信すると、ＰＣＦはタイマＴ１４−ＵＡＴＩ−Ａｓｓｉｇｎを停止させる。
ｔ．ＰＣＦはＡＮに肯定応答としてＡ１４−ＵＡＴＩ完了肯定応答メッセージを送信する。ＡＮはタイマＴ１４−ＵＡＴＩ−Ｃｏｍｐを停止させる。
ｕ．ターゲットＢＳはターゲットＰＣＦにＡ９−ＡＬ接続メッセージを送信してもよく、ターゲットＢＳはタイマＴａｌｃ９を開始させる。ＰＣＦはＡＴがターゲットＢＳに到達していることを既に認識しているので、接続／接続肯定応答メッセージは任意でよい。
ｖ．ステップｆにて高速ハンドオフ手続が開始されない場合、このステップが発生する。ＰＣＦはＡ１３−ハンドオフ要求にてソースＰＣＦにより送信されるＰＤＳＮを選択する。ターゲットＰＣＦは、ソースＰＤＳＮに接続不可能な場合、ＰＤＳＮ選択アルゴリズムを用いて代替のＰＤＳＮを選択する。ターゲットＰＣＦはＰＤＳＮに、Ａ１１登録要求メッセージを送信する。このメッセージには、ＣＶＳＥ内のＭＥＩインジケーション、０でない寿命値、アカウンティングデータ（Ａ１０接続セットアップ及び、おそらくは、アクティブ開始エアリンクレコード）、並びに、ＮＶＳＥ内のソースＰＣＦのＡＮＩＤ（ＰＡＮＩＤ）及びターゲットＰＣＦのＡＮＩＤ（ＣＡＮＩＤ）が含まれる。ターゲットＰＣＦはタイマＴｒｅｇｒｅｑを開始させる。
ｗ．ＰＤＳＮはＡ１１登録要求を有効化し、受容インジケーションと、構成されるＴｒｐ値にセットされた寿命フィールドとを有するＡ１１登録応答メッセージを返すことにより、接続を受容する。ターゲットＰＣＦはタイマＴｒｅｇｒｅｑを停止させる。
ｘ．ターゲットＰＣＦはＡ９−ＡＬ接続メッセージに応答してＡ９−ＡＬ接続肯定応答メッセージを送信し、タイマＴａｌｃ９を停止させる。
ｙ．ターゲットＰＣＦがソースＰＤＳＮ、即ち、ハンドオフの前に呼をサポートしていたＰＤＳＮに接続不可能であった場合、ＰＰＰ接続が確立され、ＭＩＰ登録手続が（サポートされている場合）実行される。
【００３２】
ここで、ＨＲＰＤパケットデータセッションはターゲットセルにてアクティブとなり、ＡＴとＰＤＳＮとの間でパケットデータが交換される。
ｚ．ターゲットＰＣＦはソースＰＣＦに、コーズ値を有するＡ１３−ハンドオフ状態メッセージを送信し、ターゲットネットワークへのハード・ハンドオフの成功裏な完了を示す。ハード・ハンドオフ失敗の場合、このメッセージはより早くに送信されてよい。
ａａ．ＰＣＦは、Ａ１３−ハンドオフ状態メッセージの受信後、コーズ値が「ハード・ハンドオフ完了」にセットされたＡ９−切断−Ａ８メッセージをＡＮに送信し、タイマＴｄｉｓｃｏｎ９を開始させる。このメッセージはステップｎの後の任意の時間に送信されてよい。
ｂｂ．ソースＡＮはコーズ値が「ハード・ハンドオフ完了」にセットされたＡ９−解放−Ａ８メッセージをＰＣＦに送信し、関連付けられている専用リソースを解放するようＰＣＦに要求する。ソースＡＮはタイマＴｒｅｌ９を開始させる。ソースＰＣＦはタイマＴｄｉｓｃｏｎ９を停止させる。
ｃｃ．ソースＰＣＦはＰＤＳＮに、０にセットされた寿命と、アクティブ停止ＡＬレコードとを有するＡ１１登録要求メッセージを送信する。ＰＣＦはタイマＴｒｅｇｒｅｑを開始させる。
ｄｄ．ＰＤＳＮはソースＰＣＦにＡ１１登録応答メッセージを送信する。ソースＰＣＦはＡＴに対するソースＡ１０接続を閉じ、タイマＴｒｅｇｒｅｑを停止させる。
ｅｅ．ソースＰＣＦはＡ９−解放−Ａ８完了メッセージによりＡ９−解放−Ａ８メッセージに応答する。ＡＮはタイマＴｒｅｌ９を停止させる。
【００３３】
図４Ａ，４Ｂの代表的なシグナリングフロー図には、Ａ１３，Ａ１４シグナリングの両方を示している。しかしながら、ソースＡＮ及びターゲットＡＮが同じＰＣＦによりサービス提供されている（即ち、ソースＰＣＦ及びターゲットＰＣＦは同じ単一のＰＣＦである）場合、ソースＰＣＦとターゲットＰＣＦとの間のＡ１３シグナリングなどのシグナリングは発生しない。
【００３４】
上述の代表的なシグナリングフロー図（図３Ａ，３Ｂ，４Ａ，４Ｂ）では、Ａ１３ハンドオフ要求、Ａ１３−ハンドオフ要求肯定応答、Ａ１３−ハンドオフ状態、Ａ１４−ハンドオフ必要、Ａ１４−ハンドオフ必要肯定応答、Ａ１４−ハンドオフ要求、及びＡ１４−ハンドオフ要求肯定応答など、幾つかの新規なメッセージについて述べている。理解を向上させ、実装され得る特定の実施形態を例示するために、これらのメッセージの代表的な定義を以下に提供する。しかしながら、本発明の精神及び範囲から逸脱することなく以下に示す特定の実施形態に対し種々の修正及び変更がなされ得ることを、当業者は認めるであろう。
【００３５】
Ａ１３メッセージ定義
［Ａ１３−ハンドオフ要求］
このメッセージはＡＴのハード・ハンドオフを要求することを要求するため、ソースＰＣＦからターゲットＰＣＦへ送信される。
【００３６】
【表１】
2007520936.tif 000003
【００３７】
・このＩＥはハード・ハンドオフが要求されているＡＴの移動体識別子を含む。
・この情報要素はターゲットセルパイロット及びパイロット強度情報を含む。この要素に関する複数のインスタンスが存在してもよい。
・このＩＥはソースネットワークにて呼をサポートしているＰＤＳＮのＩＰアドレスを含む。
・この要素はソースＰＣＦのＡＮＩＤを含む。
・このＩＥはソースネットワークにて用いられるセッション状態情報レコードを含む。この情報要素の複数のコピーが含まれてもよい。ある属性がセッション状態情報レコードに含まれていない場合、ターゲットＡＮは、抜けている属性がデフォルト値（各プロトコルにおいて各属性に対し指定されている）を有すると仮定する。
・高速ハンドオフがサポートされている場合、これらのＩＥが含まれる。
・このＩＥはソースＡＮにて用いられるエアインタフェースのバージョンを含む。
【００３８】
次のテーブルには、Ａ１３−ハンドオフ要求メッセージのビットマップレイアウトを示す。
【００３９】
【表２】
2007520936.tif 000004
2007520936.tif 000005
2007520936.tif 000006
【００４０】
［Ａ１３−ハンドオフ要求肯定応答］
このメッセージはＡＴのハード・ハンドオフ要求を肯定応答するため、ターゲットＰＣＦからソースＰＣＦへ送信される。
【００４１】
【表３】
2007520936.tif 000007
【００４２】
ａ．このＩＥはハード・ハンドオフが要求されているＡＴの移動体識別子を含む。
ｂ．
ｃ．この情報要素はターゲットネットワークセクタＩＤを含む。
ｄ．この情報要素はハード・ハンドオフ要求がターゲットネットワークにより受容されたか、或いは、拒否されたかを示す。
ｅ．この情報要素はソースにて用いられるエアインタフェースのバージョンへと符号化されるエアインタフェースＴＣＡメッセージを含んでおり、ハンドオフ要求がターゲットネットワークにより受容されたときに含まれる。
【００４３】
次のテーブルには、Ａ１３−ハンドオフ要求肯定応答メッセージのビットマップレイアウトを示す。
【００４４】
【表４】
2007520936.tif 000008
【００４５】
［Ａ１３−ハンドオフ状態］
このメッセージはターゲットＰＣＦからソースＰＣＦに対し送信され、ＡＴのハード・ハンドオフが完了したか否かをターゲットＡＮに示す。
【００４６】
【表５】
2007520936.tif 000009
【００４７】
ａ．この情報要素はハード・ハンドオフが完了したか否かをターゲットネットワークに示す。
次のテーブルには、Ａ１３−ハンドオフ状態メッセージのビットマップレイアウトを示す。
【００４８】
【表６】
2007520936.tif 000010
【００４９】
Ａ１４メッセージ定義
［Ａ１４−ハンドオフ必要］
このメッセージはＡＴのハード・ハンドオフを新たなＡＮに要求するため、ソースＡＮからソースＰＣＦへ送信される。
【００５０】
【表７】
2007520936.tif 000011
【００５１】
ａ．この情報要素がこのメッセージに含まれている場合、この情報要素の値は、このメッセージに応答して送信されるＡ１４−ハンドオフ受容メッセージ中の対応する情報要素により返される。
ｂ．この情報要素はハンドオフするセクタを識別するために用いられる。
ｃ．この情報要素はターゲットセルパイロット及びパイロット強度情報を含む。この要素に関する複数のインスタンスが存在してもよい。
ｄ．このＩＥはソースＡＮにて用いられるエアインタフェースのバージョンを含む。
【００５２】
次のテーブルには、Ａ１４−ハンドオフ必要メッセージのビットマップレイアウトを示す。
【００５３】
【表８】
2007520936.tif 000012
【００５４】
［Ａ１４−ハンドオフ必要肯定応答］
このメッセージはＡ１４−ハンドオフ必要メッセージを肯定応答するため、ソースＰＣＦからソースＡＮへ送信される。
【００５５】
【表９】
2007520936.tif 000013
【００５６】
ａ．この情報要素は、Ａ１４−セッション情報更新メッセージにも含まれていた場合にのみ、含まれる。この情報要素は、そのＡ１４−セッション情報更新メッセージにて受信された値にセットされる。
ｂ．この情報要素はハンドオフ要求が受容されたか否かを示す。
ｃ．この情報要素はソースにて用いられるエアインタフェースのバージョンへと符号化されるエアインタフェースＴＣＡメッセージを含んでおり、ハンドオフ要求がターゲットネットワークにより受容されたときに含まれる。
【００５７】
次のテーブルには、Ａ１４−セッション情報更新肯定応答メッセージのビットマップレイアウトを示す。
【００５８】
【表１０】
2007520936.tif 000014
【００５９】
［Ａ１４−ハンドオフ要求］
このメッセージはハード・ハンドオフを要求するため、ターゲットＰＣＦからターゲットＡＮへ送信される。
【００６０】
【表１１】
2007520936.tif 000015
【００６１】
ａ．この情報要素がこのメッセージに含まれている場合、この情報要素の値は、このメッセージに応答して送信されるＡ１４−ハンドオフ要求肯定応答メッセージ中の対応する情報要素により返される。
ｂ．この情報要素はＰＣＦが正確なページング領域を示す場合に含まれる。この情報要素が含まれている場合、ＡＴは少なくともこのリストに示されている全てのセクタにページングされる。
ｃ．この情報要素の複数のコピーが含まれてもよい。
ｄ．この情報要素はターゲットセルパイロット及びパイロット強度情報を含む。この要素に関する複数のインスタンスが存在してもよい。
ｅ．このＩＥはソースＡＮにて用いられるエアインタフェースバージョンを含む。
【００６２】
次のテーブルには、Ａ１４−要求要求メッセージのビットマップレイアウトを示す。
【００６３】
【表１２】
2007520936.tif 000016
2007520936.tif 000017
【００６４】
［Ａ１４−ハンドオフ要求肯定応答］
このメッセージはハード・ハンドオフ要求を肯定応答するため、ターゲットＡＮからターゲットＰＣＦへ送信される。
【００６５】
【表１３】
2007520936.tif 000018
【００６６】
ｂ．この情報要素はｃハード・ハンドオフ要求がターゲットＡＮにより受容されたか、或いは、拒否されたかを示す。
ｃ．この情報要素はソースにて用いられるエアインタフェースのバージョンへと符号化されるエアインタフェースＴＣＡメッセージを含んでおり、ハンドオフ要求がターゲットネットワークにより受容されたときに含まれる。
【００６７】
次のテーブルには、Ａ１４−ハンドオフ要求肯定応答メッセージのビットマップレイアウトを示す。
【００６８】
【表１４】
2007520936.tif 000019
【００６９】
Ａ１３情報要素定義
［情報要素識別子］
このテーブルには、１つの要素が別の要素から区別される、情報要素識別子（ＩＥＩ）符号化が含まれる。また、このテーブルには、要素符号化が見出され得る節の参照も含まれる。
【００７０】
【表１５】
2007520936.tif 000020
【００７１】
［Ａ１３メッセージ型］
Ａ１３メッセージ型情報要素は、Ａ１３インタフェース上のメッセージの種類を示すために用いられる。
【００７２】
【表１６】
2007520936.tif 000021
【００７３】
［コーズ］
この情報要素は特定イベントの発生の理由を示すために用いられ、次のように符号化される。
【００７４】
【表１７】
2007520936.tif 000022
【００７５】
長さ：このフィールドは、この情報要素中、このフィールドに続くオクテットの数を二進数として含む。
コーズ値：このフィールドは次の範囲の値にセットされる。
【００７６】
【表１８】
2007520936.tif 000023
【００７７】
［アンカーＰＤＳＮアドレス］
この要素はアンカーＰＤＳＮアドレスのＡ１１インタフェースＩＰｖ４アドレスを含んでおり、高速ハンドオフに用いられる。
【００７８】
【表１９】
2007520936.tif 000024
【００７９】
長さ：このフィールドは、この要素中、この長さフィールドに続くオクテットの数を示す。
アンカーＰ−Ｐアドレス：このフィールドはアンカーＰＤＳＮのＰ−ＰインタフェースＩＰｖ４アドレスを含む。ＩＳ−８３５−Ｃを参照。
【００８０】
［アンカーＰ−Ｐアドレス］
この要素は高速ハンドオフにおけるアンカーＰＤＳＮのＰ−ＰインタフェースＩＰｖ４アドレスを含む。
【００８１】
【表２０】
2007520936.tif 000025
【００８２】
長さ：このフィールドは、この要素中、この長さフィールドに続くオクテットの数を示す。
アンカーＰ−Ｐアドレス：このフィールドはアンカーＰＤＳＮのＰ−ＰインタフェースＩＰｖ４アドレスを含む。ＩＳ−８３５−Ｃを参照。
【００８３】
［ターゲットチャネル情報］
この情報要素は、ターゲットセルパイロット及びパイロット強度情報を含む。
【００８４】
【表２１】
2007520936.tif 000026
【００８５】
長さ：このフィールドは、この情報要素中、このフィールドに続くオクテットの数を二進数として含む。
チャネル：このフィールドはターゲットのパイロットに対応するチャネルを含んでおり、ＴＩＡ−８５６経路更新メッセージにて指定されるように符号化されている。
パイロット強度：このフィールドはパイロットの強度を含んでおり、ＴＩＡ−８５６経路更新メッセージにて指定されるように符号化されている。
【００８６】
［ＡＩバージョン］
この情報要素は、ソースネットワークにてサポートされるＡＩバージョンを示す。
【００８７】
【表２２】
2007520936.tif 000027
【００８８】
長さ：このフィールドは、この情報要素中、このフィールドに続くオクテットの数を二進数として含む。
チャネル：このフィールドはソースにて用いられるＡＩを示すので、ターゲットはトラフィックチャネル割当メッセージをどのようにフォーマットするかを判定することが可能である。このフィールドは、１：ＴＩＡ−８５６−０、２：ＴＩＡ−８５６−Ａ、のように符号化される。
【００８９】
［ＴＣＡ  ＢＬＯＢ］
この情報要素は、ソースネットワークにて用いられるエアインタフェースバージョン毎（例えば、ＴＩＡ−８５６の第６．６．６．２．２節又はＴＩＡ−８５６−Ａの第９．７．６．２．２節毎）にフォーマットされている、ＴＩＡ−８５６トラフィックチャネル割当メッセージを含む。
【００９０】
【表２３】
2007520936.tif 000028
【００９１】
ＴＣＡ情報ビットイグザクト（Ｂｉｔ−Ｅｘａｃｔ）長さ−オクテットカウント：このフィールドは、二進数として表されている、ＴＣＡ情報コンテントフィールド中のオクテットの総数を含む。
ＴＣＡ情報ビットイグザクト長さ−フィルビット：このフィールドは、ＴＣＡ情報コンテントフィールドに対して最後に用いられたオクテットに含まれるフィルビットの数を示す二進数を含む。
ＴＣＡ情報コンテント：ＴＣＡ情報コンテントフィールドは［ソースＡＮにてサポートされるバージョン数毎のＴＩＡ−８５６］毎に符号化されている。
第Ｎフィルビット−必要な場合（オクテットｋ）：「ＴＣＡ情報：ビットイグザクト長さ−フィルビット」フィールドが０でない値を含む場合、示されるフィルビットの数は「０」にセットされ、ＴＣＡ情報コンテントフィールドに対して最後に用いられたオクテットの低次のビット位置を占める。
改訂Ａ版の９．６．６．１．６．６には、送信の必要なフィールドが示されている。
【００９２】
Ａ１４情報要素定義
［情報要素識別子］
このテーブルには、１つの要素が別の要素から区別される、情報要素識別子（ＩＥＩ）符号化が含まれる。また、このテーブルには、要素符号化が見出され得る節の参照も含まれる。
【００９３】
【表２４】
2007520936.tif 000029
【００９４】
［Ａ１４メッセージ型］
Ａ１４メッセージ型情報要素は、Ａ１４インタフェース上のメッセージの種類を示すために用いられる。
【００９５】
【表２５】
2007520936.tif 000030
【００９６】
［コーズ］
この情報要素は特定イベントの発生の理由を示すために用いられ、次のように符号化される。
【００９７】
【表２６】
2007520936.tif 000031
【００９８】
長さ：このフィールドは、この情報要素中、このフィールドに続くオクテットの数を二進数として含む。
コーズ値：このフィールドは次の範囲の値にセットされる。
【００９９】
【表２７】
2007520936.tif 000032
【０１００】
［移動体アイデンティティ（ＭＮ  ＩＤ）］
この情報要素は、ＡＴの移動体ノード識別（ＭＮ  ＩＤ）を与えるために用いられる。
【０１０１】
【表２８】
2007520936.tif 000033
【０１０２】
長さ：このフィールドは、この情報要素中、このフィールドに続くオクテットの数を二進数として含む。
【図面の簡単な説明】
【０１０３】
【図１】本発明のＴＩＡ−８７８用の実施形態による無線通信システムのブロック図。
【図２】本発明のＴＩＡ−１８７８用の実施形態による無線通信システムのブロック図。
【図３Ａ】本発明のＴＩＡ−８７８用の実施形態による、ソースＡＮからターゲットＡＮへハンドオフするアクティブなＨＲＰＤパケットデータセッションを有するアクセス端末（ＡＴ）を示す代表的なシグナリングフロー図。
【図３Ｂ】本発明のＴＩＡ−８７８用の実施形態による、ソースＡＮからターゲットＡＮへハンドオフするアクティブなＨＲＰＤパケットデータセッションを有するアクセス端末（ＡＴ）を示す代表的なシグナリングフロー図。
【図４Ａ】本発明のＴＩＡ−８７８用の実施形態による、ソースＡＮからターゲットＡＮへハンドオフするアクティブなＨＲＰＤパケットデータセッションを有するアクセス端末（ＡＴ）を示す代表的なシグナリングフロー図。
【図４Ｂ】本発明のＴＩＡ−８７８用の実施形態による、ソースＡＮからターゲットＡＮへハンドオフするアクティブなＨＲＰＤパケットデータセッションを有するアクセス端末（ＡＴ）を示す代表的なシグナリングフロー図。
【図５】従来技術のシグナリング手法による、ソースＡＮからターゲットＡＮへハンドオフするアクティブなＨＲＰＤパケットデータセッションを有するアクセス端末（ＡＴ）を示す代表的なシグナリングフロー図。
【図１】
2007520936.tif 000034
【図２】
2007520936.tif 000035
【図３Ａ】
2007520936.tif 000036
【図３Ｂ】
2007520936.tif 000037
【図４Ａ】
2007520936.tif 000038
【図４Ｂ】
2007520936.tif 000039
【図５】
2007520936.tif 000040
【国際調査報告】
2007520936.tif 000041